(57)【要約】      （修正有）【課題】電気コタツのヒーター熱が布団やこれに載置した天板まで逃げて無駄に消費される事なく有効に利用できるようにして、電気コタツの熱効率を向上させるようにする。【解決手段】ヒーター５が下面に取り付けられたヒーター取付板２５と、ヒーター取付板２５の下方にて前記ヒーター５を覆う態様で配設された通気性を有するユニットカバー２７と、ヒーター取付板２５に開設された通気穴３０と、前記ヒーター取付板２５の通気路３１の空気を、通気穴３０を介して下方空間に送り出す為のファン４と、を具備し、前記通気路３１は、ヒーター取付板２５の側方空間に連通する吸気口９に繋がっていること。【選択図】図１
0003146456.tif 000002
【実用新案登録請求の範囲】
【請求項１】
ヒーターが下面に取り付けられたヒーター取付板と、
前記ヒーター取付板に開設された通気穴と、
前記ヒーター取付板とその上方の板体の間に形成される通気路の空気を、前記通気穴を介して下方空間に送り出す為のファンと、
前記ヒーター取付板の下方にて前記ヒーター及び前記ファンを覆う態様で配設された通気性を有するユニットカバーと、を備えた電気コタツ用のヒーターユニットであって、
前記ヒーターユニットの側面、又は、前記ヒーター取付板の外周近傍に開設されて前記ヒーターユニットの側方空間の空気を吸引する吸気口を具備する、電気コタツ用のヒーターユニット。
【請求項２】
前記吸気口の上流側に脱臭フィルターが設けられている、請求項１に記載の電気コタツ用のヒーターユニット。
【考案の詳細な説明】
【技術分野】
【０００１】
本考案は、熱効率の改善を図った電気コタツ用のヒーターユニットに関するものである。
【背景技術】
【０００２】
従来、電気コタツは、ヒーターユニットを備えたやぐらを覆った布団に天板を載置して使用されており、ヒーターの熱で布団等が焦げないように、やぐらにおけるヒーターユニットの上方に断熱材を配設している。
【０００３】
しかしながら、実際には相当のヒーター熱が布団やこれに載置した天板にまで伝わっている。その原因として考えられるのは、ヒーターの反射板と断熱材の機能不足があげられる。
【０００４】
すなわち、反射板及び断熱材は、たとえ性能の良いものであってもヒーター熱すべてを反射したり断熱したりできずにある程度蓄熱してしまう。
【０００５】
よって、ヒーターの反射板が熱せられると共に、その熱が反射板より上方に位置するやぐらの断熱材に達して、布団や天板に吸収され、その分コタツ内部の加熱に寄与しないことから、従来の電気コタツの熱効率は、良いものとは決して言えないのである。
【０００６】
一方、電気コタツの熱効率を上げるためにコタツ内の空気を循環させるファンを取り付けた図５の如き構造のものが知られている（特許文献１）。
【０００７】
このものでは、やぐらの下面に設けられたユニット取付枠（図示せず）にヒーターユニットＨが取り付けられている。このヒーターユニットＨは、反射板２の上面を覆う断熱材１０と、反射板２の下方に設けられたヒーター５、５を具備しており、モータ３によって回転駆動するディスク状のファン４によってヒーター熱がコタツ内で循環するようにしている。
【０００８】
さらに、図６に示すように、ヒーターの反射板より上方へ逃げるヒーター熱を緩和するための対策として、天板８ａ，８ｂを２重にした技術も開示されている。このものでは、下方天板８ｂ（格子状ではなく単純平板状に形成されている）の四隅の下部に脚２１を取り付けたやぐら２０と，やぐら２０に取り付けたヒーターユニットＨと，前記下方天板８ｂの上方に着脱自在なアタッチメント２２を具備する上方天板８ａから構成されている。電気コタツとして使用するときは、下方天板８ｂの上に布団を掛けると共に、該布団の上方に、アタッチメント２２を取り外した上方天板８ａを載置する。このものでは、下方天板８ｂが格子状ではなく単純平板状に形成されているから、ヒーターユニットＨからのヒーター熱が、単純平板状の下方天板８ｂで効率的に遮断されて布団を直接温めない。従って、前記ヒーター熱が前記布団やこれに載置された上方天板８ａに伝達されにくくなって、大気への放出量が抑えられるから、電気コタツの熱効率が向上する（特許文献２）。
【０００９】
【特許文献１】特開平８−５４１４７号公報（第４頁、図１）
【特許文献２】特開平６−２４１４５９号公報（第３頁、図１）
【考案の開示】
【考案が解決しようとする課題】
【００１０】
特許文献１のものは、ヒーター熱の循環用のファン４がヒーターユニットＨに設けられているが、このファン４はあくまでも反射板２より下方空間のみで空気循環を生じさせるものであり、反射板２より上方へ逃げるヒーター熱をコタツ内の下方空間に戻すものではないため、従来と同様、ヒーター熱が布団や天板にまで達してしまい、その分、電気コタツの熱効率が低くなる。
【００１１】
一方、特許文献２のものは、下方天板８ｂとは別の上方天板８ａや、これら両者間に介在させるアタッチメント２２，２２等が必要となるから、部品点数が多くなってコスト高を招来する。
【００１２】
本考案は、上記問題点を解消する為に成されたものであり、電気コタツのヒーター熱が布団やこれに載置した天板まで逃げて無駄に消費される事なく有効に利用できるようにして、電気コタツの熱効率を向上させるようにすることを課題とする。
【課題を解決するための手段】
【００１３】
[請求項１に係る考案]
上記課題を解決するための請求項１に係る考案の解決手段は、
『ヒーターが下面に取り付けられたヒーター取付板と、
前記ヒーター取付板に開設された通気穴と、
前記ヒーター取付板とその上方の板体の間に形成される通気路の空気を、前記通気穴を介して下方空間に送り出す為のファンと、
前記ヒーター取付板の下方にて前記ヒーター及び前記ファンを覆う態様で配設された通気性を有するユニットカバーと、を備えた電気コタツ用のヒータユニットであって、
前記ヒーターユニットの側面、又は、前記ヒーター取付板の外周近傍に開設されて前記ヒーターユニットの側方空間の空気を吸引する吸気口を具備する』ことである。
このものでは、コタツ使用時にファンが回転すると、ヒーターユニットの側面、又は、前記ヒーター取付板の外周近傍に開設された吸気口から、ヒーターユニットの側方空間の空気が吸引される。従って、上記解決手段によれば、ヒーターから下方へ放出される熱くなった空気が吸気口に吸入されることはない。そして、吸気口に吸引された空気は、前記ファンの作用により、ヒーター取付板とその上方の板体との間に形成される通気路を流れて通気穴から下方空間に送り出される。
以上の記載から明らかなように、上記解決手段によれば、ヒーターで加熱されたヒーター取付板とその上方の板体との間に形成される通気路の滞留熱は、ファンの回転によって、前記ヒーター取付板に開設された通気穴からその下方空間に送られ、これにより、前記滞留熱が有効利用されて、電気コタツの熱効率が向上する。
【００１４】
[請求項２に係る考案]
請求項１に係る考案に於いて、
『前記吸気口の上流側に脱臭フィルターが設けられている』ものでは、ファンの作動によってコタツ内部の空気が脱臭フィルターを通過するときに、その臭気が除去される。
【考案の効果】
【００１５】
本考案は次の特有の効果を有する。
ヒーターで加熱されたヒーター取付板とその上方の板体との間に形成される通気路      の滞留熱は、ファンの回転によって、前記ヒーター取付板に開設された通気穴からその下方空間に送られるから、前記滞留熱が有効利用されて電気コタツの熱効率が向上する。
【００１６】
吸気口はヒーター取付板の側方空間に繋がっているため、ヒーターから下方へ放出される熱くなった空気は吸入されず、前記ヒーター取付板の側方空間に存する比較的熱くない空気を吸入することになるから、その吸入空気はヒーター取付板の上方面の熱を効果的に吸収する。従って、この点からも、電気コタツの熱効率が向上する。
【００１７】
請求項２に係る考案では、前述のように、ファンの作動によってコタツ内部の空気が脱臭フィルターを通過するときに、その臭気が除去される。
【考案を実施するための最良の形態】
【００１８】
以下に、図面を見ながら、本考案の実施形態を更に詳しく説明する。
図１に示すように、四隅の下部に脚２１を取り付けたやぐら２０の下面に設けられたユニット取付枠１には、ヒーターユニットＨが取り付けられている。
【００１９】
このヒーターユニットＨは、ヒーター５、５が図示しないブラケットを介して下面に取り付けられたヒーター取付板２５と、該ヒーター取付板２５の下方にてヒーター５、５を覆う態様で配設された通気性を有する網籠状のユニットカバー２７（図１、２参照）を具備している。ヒーター取付板２５は矩形の金属板で、その中央部には通気穴３０が開設されている。
【００２０】
ヒーター取付板２５の上方には、間隔を置いて既述した板体たる蓋板７が設けられており、前記間隔は既述考案特定事項たる「通気路３１」に対応している。又、前記蓋板７の上方には、平板状の断熱材１０が配設されている。
ヒーター取付板２５の通気路３１の空気を、前記通気穴３０を介して下方空間に送り出す為のファン４が配設されていると共に、前記通気路３１の上流端の吸気口９はヒーターユニットＨの側面に開口している。そして、この吸気口９は、やぐら２０の下面に設けられたユニット取付枠１に開設された透孔９０を介してヒーターユニットの側方空間の空気を吸引するようになっている。又、前記吸気口９の上流側である前記透孔９０の外側には脱臭フィルター１４が設けられている。これにより、ファン４が作動すると、コタツ内の空気は、脱臭フィルター１４を介して透孔９０から吸気口９に吸引されるようになっている。
【００２１】
ヒーター取付板２５と各ヒーター５の上下には、ヒーター５の輻射熱を下方に反射する反射板２が配設されていると共に、該反射板２は、水平天板２７の両側縁から側板２８、２８が末広がり状に屈曲する逆樋状の断面形状を有している。
このものでは、図１に示すように、やぐら２０の上を布団６で覆い、更に、その上方に天板８を載置して使用される。
暖房が開始されると、ファン４が回転すると共にヒーター５が発熱し、ヒーター５からの輻射熱が反射板２で下方に反射されてコタツ内が暖められる。
【００２２】
一方、上記のようにファン４が回転すると、ヒーターユニットＨの側面に開設された吸気口９は、その外側の透孔９０を介して、ヒーターユニットＨの側方空間の空気を吸引する。従って、ヒーター５から下方へ放出される熱くなった空気は吸入さることはない。そして、吸気口９に吸引された空気は、前記ファン４の作用により、ヒーター取付板２５とその上方の蓋板７との間に形成される通気路３１を流れて通気穴３０から下方空間に送り出される。
以上により、ヒーター５の発熱によって温められるヒーター取付板２５とその上方の蓋板７の間に形成された通気路３１の滞留熱は、ファン４の回転によって、ヒーター取付板２５の中央部に開設された通気穴３０から、その下方のコタツ内に送られる。従って、前記通気穴３０が形成されていないもののようにヒーター取付板２５の通気路３１の滞留熱が篭らず、前記滞留熱が有効利用されて電気コタツの熱効率が向上する。又、ヒーターユニットＨの側方空間の空気は、脱臭フィルター１４を介して前記ヒーター取付板２５の通気路３０に吸引されるから、コタツ内部の空気が脱臭フィルター１４を通過するときに、その臭気が除去される。
【００２３】
次に、本考案の第２実施形態に係る電気コタツ用のヒータユニットを、図３，４に従って説明する。
ヒーター取付板２５の外周近傍には吸気口９ａが開設されていると共に、吸気口９ａの内側には、ヒーター５で加熱された高温空気が短絡的に吸気口９ａに流入するのを防止するため、換言すれば、ヒーターユニットＨの側方空間の空気が吸気口９ａで吸引されるようにするための案内板９ｂが設けられている。
このものでは、ヒーター取付板２５の外周近傍に開設された吸気口９ａ（図３，４参照）からヒーターユニットＨの側方空間の空気が吸引されてヒーター取付板２５の上方の通気路３１を流動してその滞留熱を通気穴３０から下方に放出する。    
従って、ヒーターユニットＨの上部外周が、やぐら２０の下面に設けられたユニット取付枠１に密に嵌め込まれる場合でも、図１のように透孔９０をユニット取付枠１に形成する必要がない。
【図面の簡単な説明】
【００２４】
【図１】本考案の実施の形態に係るヒーターユニットＨを備えた電気コタツの要部の断面図
【図２】本考案の実施の形態に係るヒーターユニットＨの底面図
【図３】本考案の第２実施形態に係るヒーターユニットＨを備えた電気コタツの要部の断面図
【図４】本考案の第２実施形態に係るヒーターユニットＨの底面図（但し、案内板９ｂは省略している）
【図５】従来例の説明図
【図６】従来例の説明図
【符号の説明】
【００２５】
４・・・ファン
５・・・ヒーター
９・・・吸気口
２５・・・ヒーター取付板
２７・・・ユニットカバー
３０・・・通気穴
３１・・・通気路
【図１】
0003146456.tif 000003
【図２】
0003146456.tif 000004
【図３】
0003146456.tif 000005
【図４】
0003146456.tif 000006
【図５】
0003146456.tif 000007
【図６】
0003146456.tif 000008